(57)【特許請求の範囲】
【請求項１】
同一形状の構成部材を二つ組合せて構成される糸巻きリールであって、前記二つの構成部材を互いに分離した状態において、束ねた状態の糸を一方の構成部材に保持させ、その後、他方の構成部材を一方の構成部材に組合せて両者を一体化するようにしたことを特徴とする糸巻きリール。
【請求項２】
前記一方の構成部材は、径方向外向きの弾性力によって糸を保持している請求項１に記載の糸巻きリール。
【請求項３】
前記構成部材には、係合部と、前記係合部に対応する被係合部とが各々に形成されており、一方の構成部材と係合部と他方の構成部材の被係合部とを係合させて両者を一体化している請求項１または請求項２に記載の糸巻きリール。
【請求項４】
前記二つの構成部材は、両者を組合せたときに、糸の引き出し口を有して糸を保持する閉空間が形成されている請求項１ないし請求項３のいずれかに記載の糸巻きリール。
【発明の詳細な説明】
【０００１】
【発明の属する技術分野】
本発明は、釣り糸などを保持する糸巻きリールに関し、特に、道糸などを巻き取りテンションを加えることなく保持でき、しかも、何度でも新しい釣り糸を保持し直しできる糸巻きリールに関するものである。
【０００２】
【従来の技術】
従来の釣り糸は、図１５に示すような糸巻きリールＲＬに、かなりきつく巻き付けられて販売されていた。そして、購入された釣り糸は、使用に先立って収納ケース３０に収めて保存され、必要な長さの釣り糸３３を収納ケースから引き出して使用していた。
【０００３】
【発明が解決しようとする課題】
しかしながら、このような釣り糸の保存・使用方法では、釣り糸を使用し切れば、糸巻きリールＲＬを廃棄するしかないのであるから、資源の無駄使いとなるだけでなく、プラスチック製品の焼却によって環境汚染の問題が生じることになった。また、釣り糸は、あまり太くない糸巻きリールＲＬにきつく巻かれて販売されているので、製造から使用までの期間において（相当の期間が生じる場合もある）、釣り糸に少なからず巻きクセがついてしまい、使用時に釣り糸が真っ直ぐには伸びず使用者に不快感を与えることもあった。
【０００４】
本発明は、上記の問題点に鑑みてなされたものであって、何回でも使用することができ、しかも釣り糸に、巻きグセを付けることのない糸巻きリール及びその収納ケースと糸を提供することを課題とする。
【０００５】
【課題を解決するための手段】
上記の課題を解決するため、本発明は、同一形状の構成部材を二つ組合せて構成される糸巻きリールであって、前記二つの構成部材を互いに分離した状態において、束ねた状態の糸を一方の構成部材に保持させ、その後、他方の構成部材を一方の構成部材に組合せて両者を一体化するようにしている。
【０００６】
束ねた状態の糸を一方の構成部材に保持させる方法は、特に限定されないが、好ましくは、外向きの弾性力によって糸を保持すれば良い。また、二つの構成部材を一体化させる方法も特に限定されないが、好ましくは、構成部材に係合部と被係合部を形成しておき、一方の構成部材と係合部と他方の構成部材の被係合部とを係合させて両者を一体化させるのが良い。
【０００７】
この糸巻きリールは、組合せた後、収納ケースに収納してもよいが、単独で糸を保存できるようにしてもよい。具体的な手段としては、例えば、二つの構成部材を組合せたときに、糸の引き出し口を有して糸を保持する閉空間が形成される構成を設ければ良い。なお、ここで閉空間とは、密閉空間を意味するのではなく、糸が保持できる程度の閉空間を意味する。
【０００８】
一方、収納ケースを用いる場合には、構成部材に円筒部を形成しておき、糸巻きリールを収納ケースに収納したとき、前記円筒部を利用して糸巻きリールを回転させるのが好ましい。
【０００９】
ケースは、請求項１に記載の糸巻きリールを収納するケースである。更に、糸は、請求項１に記載の糸巻きリールに保持される糸である。
【００１０】
【発明の実施の態様】
以下、実施例に基づいて、この発明を更に詳細に説明する。
図１〜図５は、第一実施例に係る糸巻きリールＲについて、糸巻きリールＲを構成するリール構成部材１を図示したものである。本発明に係る糸巻きリールＲは、図示のリール構成部材１を二つ向かい合わせに組合せることによって完成される。
【００１１】
図示の通り、リール構成部材１は、糸巻きリールＲのフランジを形成することになる環状底面２と、環状底面２の中央部からほぼ垂直に立ち上がる中央軸部３と、中央軸部３に連続して水平面を形成する円板状の中央平面４と、中央軸部３と一体化されて六箇所に形成され、環状底面２から中央平面４を越えてほぼ垂直に立ち上がる保持部５と、中央軸部３の内部において中央平面４からほぼ垂直下向きに形成される円筒部６とで構成されている。
【００１２】
環状底面２には、矩形状に切り開かれた六個の矩形穴７が、周方向に等間隔で同一円周上に形成されている。また、中央平面４には、円弧状に切り開けられた係合穴８と、軸方向に立ち上がる係止部９とが、同一円周上に各二個ずつ形成されている。係合穴８は、径方向の幅が異なる幅狭部８ａと幅広部８ｂとに区分されており、二つの幅狭部８ａ，８ａは、中央平面４の半径線上に位置している。また、二つの係止部９，９も中央平面４の半径線上に位置しており、前記幅狭部８ａ，８ａを結ぶ半径線と直交している。
【００１３】
係止部９は、垂直方向の立上り部９ａと径方向の突出部９ｂとで断面略Ｌ字状に形成されており、立上り部９ａの軸方向の長さは、中央平面４の軸方向の厚さとほぼ同じでやや長く形成されている。そして、立上り部９ａの径方向の厚さは、係合穴８の幅狭部８ａよりも薄く形成されている。一方、突出部９ｂの径方向の幅は、係合穴８の幅広部８ｂよりやや狭いが、幅狭部８ａよりは厚く形成されている。
【００１４】
以上の構成とともに、係止部９と係合穴８とが同一円周上に形成されているため、二つのリール構成部材１Ａ，１Ｂを組合せる場合には、一方部材１Ａの突出部９ｂを他方部材１Ｂの幅広部８ｂに突入させることができ、突入させた後、リール構成部材１を周方向に回転させることによって、一方部材１Ａの立上り部９ａを他方部材１Ｂの幅狭部８ａに移動させて、一方部材Ａの突出部９ｂを他方部材１Ｂの中央平面４に係合させることができる。
【００１５】
保持部５は、環状底面２と中央軸部３とに一体化されて立設される矩形状の平板部１０と、平板部１０より厚みを増して連続する連絡部１１と、連絡部と同じ厚みを持って逆Ｌ字状に延設される延長部１２とで構成されている。逆Ｌ字状に形成されているため、延長部１２は径方向内向きに弾性変形が可能であり、また、延長部１２の開放先端１２ａは、環状底面２に形成された矩形穴７に突入されている。なお、環状底面２の下面と、開放先端１２ａの最先端とは、同一平面上に位置している。
【００１６】
続いて、上記の構成を備えるリール構成部材１の使用方法を説明する。
釣り糸をリールに保持する場合には、一応はゆるく拘束されている釣り糸を用意し、これを第一のリール構成部材１Ａの上部から降下させて保持部５に嵌めこみ、延長部１２の弾性反発力によって保持する。なお、この段階では釣り糸の拘束を解いているが、延長部１２の弾性反発力によって釣り糸が径方向外向きに押される一方、何重にも巻かれている釣り糸同士には摩擦力が働くので、釣り糸がバラバラに広がってしまうことはない。このようにして釣り糸を保持したら、第二のリール構成部材１Ｂを第一のリール構成部材１Ａと背中合わせになるように組合せる。
【００１７】
図６と図７は、二つの構成部材１Ａ，１Ｂを組合せて収納ケース１３に収容した状態を図示したものであり、図６は、ケース１３を開けた状態の平面図、図７は、ケース１３を閉じた状態の断面図である。なお、釣り糸の図示を省略しているが、延長部１２Ａ，１２Ｂの外側に位置するのは勿論である。
【００１８】
第一の構成部材１Ａに第二の構成部材１Ｂを組合せる場合には、構成部材１Ａに保持されている釣り糸の内側に、構成部材１Ａの延長部１２Ｂを押し込めば良い。すると、延長部１２Ｂは内向きに弾性変形しながら進入してことになり、二つの中央平面４Ａ，４Ｂを背中合わせに接触させることができる。そしてこの際に、一方の突出部９ｂを他方の幅広部８ｂに突入させ、リール構成部材１を周方向に回転させることによって、二つの構成部材１Ａ，１Ｂを組合せることができ、これによって、釣り糸を保持した状態の糸巻きリールＲが完成されることになる。
【００１９】
このような状態の糸巻きリールＲは、上下二つに分離される収納ケース１３の中に保持される。収納ケース１３の構成は、図示のものに限定されるのもではなく、例えば、特許２９０２３４７号に開示の糸巻き収納ケースを利用することもできる。図７と図８に示す収納ケース１３について説明すると、収納ケース１３は、上下のパーツそれぞれに、内向きの中央突出部１４，１５が形成されているので、この中央突出部１４，１５に、糸巻きリールＲの円筒部６Ａ，６Ｂを位置合わせして収納することになり、収納後は、突出部１４，１５が糸巻きリールＲの回転軸として機能する。また、収納ケース１３には、その側面に開放穴１６が形成されているので、この開放穴１６を通して釣り糸を引き出すことができる。
【００２０】
以上の通り、糸巻きリールＲでは、外向きの弾性力によって釣り糸を軽く保持するだけであるから、釣り糸を使用するまでの保存期間が長くても巻きグセが生じることがない。なお、釣り糸の使用により、残量が減ってくると釣り糸がバラける恐れはあるが収納ケース１３の存在のより問題は生じない。そして、釣り糸を使いきれば、二つの構成部材１Ａ，１Ｂを分離して改めて釣り糸を保持できるので糸巻きリールを廃棄する必要がない。
【００２１】
図９〜図１２は、第２実施例に係る糸巻きリールＲ’について、糸巻きリールＲ’を構成するリール構成部材１’を図示したものである。リール構成部材１の場合には、平板状の環状底面２としたが、第２実施例の場合には、環状底面２に代えて外周部が軸方向に立上がった形状を有する環状底部２０を採用している。
【００２２】
すなわち、環状底部２０は、円環状の環状底面２と、立上がり形状の外周部２１とが一体化されて構成されている。そして、外周部の立上がり端部は折り返されて終端部２１ａを形成している。このようにリール構成部材１’は、環状底部２０が独特の形状をしているので、二つの構成部材１Ａ’、１Ｂ’を組合せた場合に、それ自身で釣り糸の収納空間が形成されることになる。具体的には、図１４に示すように、延長部１２Ａ，１２Ｂと、環状底面２Ａ，２Ｂと、外周部２１Ａ，２１Ｂとで釣り糸の収納空間が形成されるが、二つの構成部材１Ａ’、１Ｂ’の折り返し終端部２１ａ，２１ａの間には、釣り糸を円滑に引き出せる程度の遊びが形成されている。
【００２３】
図１３に示すように、二つの構成部材１Ａ’、１Ｂ’を組合せて釣り糸３３の束を保持したら、次に、この状態の糸巻きリールＲ’は、二つの部材３０Ａ，３０Ｂからなる収納ケース３０に収納される。図１３に示すように、上下の部材３０Ａ，３０Ｂには、それぞれ切欠き開口３４、３４が設けられており、その開口には釣り糸を保護する導出ピース３２が嵌合されるようになっている。また、上部材３１の上面中央には釣り糸を切断する切断刃３１が嵌合されるようになっている。なお、図示を省略しているが、上部材３０Ａには、切断した釣り糸の端部を保持する引掛け部も設けられている。
【００２４】
このような状態において釣り糸の端部を持って釣り糸を引き出すと、釣り糸３３は、糸巻きリールＲ’が回転するのに合わせて、折り返し終端部２１ａ，２１ａの間から導出されて導出口３４に至る。なお、構成部材１Ａ’、１Ｂ’の折り返し終端部２１ａ，２１ａの間には、釣り糸を引き出すに十分な遊びが存在するので、上記の引き出し作業に支障は生じない。
【００２５】
ところで、本実施例の場合には、延長部１２Ａ，１２Ｂと、環状底面２Ａ，２Ｂと、外周部２１Ａ，２１Ｂとで釣り糸の収納空間が形成されるので、収納ケース３０を用いないで使用することもできる。この場合には、釣り糸を引き出す際に、円筒部６Ａ，６Ｂに形成された穴を利用して、糸巻きリールＲ’を回転可能に保持すれば良い。なお、このような使用法を重視する場合には、円筒部６Ａ，６Ｂの底を抜き、糸巻きリールＲ’に軸方向の貫通穴を形成するのが好ましい。
【００２６】
【発明の効果】
以上説明したように、本発明によれば、何回でも使用することができ、しかも釣り糸に、巻きグセを付けることのない糸巻きリールを実現できる。
【図面の簡単な説明】
【図１】第１実施例の糸巻きリールの平面図である。
【図２】図１のＢ−Ｂ’線で切断した断面図である。
【図３】第１実施例の糸巻きリールの正面図である。
【図４】図１のＡ−Ａ’線で切断した断面図である。
【図５】第１実施例の糸巻きリールの底面図である。
【図６】第１実施例の糸巻きリールをケースに収納した状態の平面図である。
【図７】第１実施例の糸巻きリールをケースに収納した状態の中央断面図である。
【図８】閉じた状態の収納ケースの正面図である。
【図９】第２実施例の糸巻きリールの平面図である。
【図１０】図９のＢ−Ｂ’線で切断した断面図である。
【図１１】第２実施例の糸巻きリールの正面図である。
【図１２】図９のＡ−Ａ’線で切断した断面図である。
【図１３】第２実施例の糸巻きリールを説明する斜視図である。
【図１４】収納ケースに収納された状態の断面図（ａ）と収納ケースの正面図（ｂ）である。
【図１５】従来の糸巻きリールと収納ケースを図示したものである。
【符号の説明】
Ｒ          リール
１Ａ、１Ｂ  構成部材
【図１】
0004298109.tif 000002
【図２】
0004298109.tif 000003
【図３】
0004298109.tif 000004
【図４】
0004298109.tif 000005
【図５】
0004298109.tif 000006
【図６】
0004298109.tif 000007
【図７】
0004298109.tif 000008
【図８】
0004298109.tif 000009
【図９】
0004298109.tif 000010
【図１０】
0004298109.tif 000011
【図１１】
0004298109.tif 000012
【図１２】
0004298109.tif 000013
【図１３】
0004298109.tif 000014
【図１４】
0004298109.tif 000015
【図１５】
0004298109.tif 000016